(57)【要約】      （修正有）【課題】仕分け作業で大量の荷物を確認し仕分ける際に、送り状の位置を容易に確認でき、天地無用や割れ物注意など、荷物の取り扱いに関する説明をするラベル部分と住所が記入されている送り状が、どこに貼られているかを印す目印を持たせた位置ラベル付送り状を提供する。【解決手段】あて先を記載した長方形状の住所部２と、長方形状の少なくとも一辺を延伸した位置目印ラベル３から構成され、それらの境界には、折り曲げする位置を示す折り曲げ線５を設けた位置ラベル付送り状１。【選択図】図１
2015148700.tif 000002
【特許請求の範囲】
【請求項１】
あて先を記載した長方形状の住所部２と、長方形状の少なくとも一辺を延伸した位置目印ラベル４から構成されたことを特徴とする位置ラベル付送り状。
【請求項２】
住所部２と位置目印ラベル４の境界には、折り曲げする位置を示す折り曲げ線５をもつことを特徴とする請求項１記載の位置ラベル付送り状。
【請求項３】
住所部２、又は位置目印ラベル３裏側に段ボール４に取り付けるようにのりしろを設けた事を特徴とする請求項１に記載の位置ラベル付送り状。
【請求項４】
折り曲げ線５は、住所部２と位置目印ラベル３を切り離せるように、切れ目を入れている事が特徴とする請求項２に記載の位置ラベル付送り状。
【発明の詳細な説明】
【技術分野】
【０００１】
本発明は、運送  配達用の段ボールの仕分け作業の効率を改善する位置ラベル付送り状に関する。
【背景技術】
【０００２】
通常の段ボールは、長方体で、送り状が、どこの面に貼られているか分からなかった。天地無用や割れ物注意など、荷物の取り扱いに関する説明をするラベルは、あったが、住所が記入されている送り状が、どこに貼られているかを印す目印がなかった。
【先行技術文献】
【特許文献】
【０００３】
【特許文献１】特開２００１-３５３９８６公報
【特許文献２】特開２００９-２８６００４公報
【特許文献３】特開２００７-３０８５３１公報
【特許文献４】特開２００８-１４１９公報
【発明の概要】
【発明が解決しようとする課題】
【０００４】
大量の段ボールを仕分ける際、送り状が貼られている位置がわからないため、その位置を確認するのに、最大六面を見ないといけなかった。また、段ボールが大きい場合、段ボールを抱えて、送り状の位置を確認するに通常の段ボールより、さらに時間がかかっていた。
【課題を解決するための手段】
【０００５】
あて先記載した長方形状の住所部２と、長方形状の少なくとも一辺を延伸した位置目印ラベル４から構成されことを特徴とする位置ラベル付送り状。
【０００６】
位置目印ラベル３裏側に段ボール４に取り付けるようにのりしろを設けた事を特徴とする請求項１に記載の位置ラベル付送り状。
【０００７】
折り曲げ線５は、住所部２と位置目印ラベル３を切り離せるように、切れ目を入れている事が特徴とする請求項１に記載の位置ラベル付送り状。
【発明の効果】
【０００８】
本発明によれば、長方体の段ボールの送り状の位置を容易に確認でき、仕分け作業で大幅に作業時間が短縮できる。
【図面の簡単な説明】
【０００９】
【図１】本発明にかかる送り状の構成
【図２】本発明の使用図
【図３】本発明の位置目印ラベルの貼り方（全面型） (ａ) 送り状の構成  （ｂ）段ボールへの貼り方（住所部が段ボールより小さいとき）、（ｃ）段ボールへの貼り方（住所部が段ボールの一面の高さと同じぐらいのとき）
【図４】本発明の位置目印ラベルの貼り方（対称型）(ａ) 送り状の構成  （ｂ）段ボールへの貼り方（住所部が段ボールより小さいとき）、（ｃ）段ボールへの貼り方（住所部が段ボールの一面の高さと同じぐらいのとき）
【図５】本発明の位置目印ラベルの貼り方（隣接型）(ａ) 送り状の構成  （ｂ）段ボールへの貼り方（住所部が段ボールの一面より小さいとき）、（ｃ）段ボールへの貼り方（住所部が段ボールの一面の高さと同じぐらいのとき）
【発明を実施するための形態】
【００１０】
本発明は、このような従来の問題点を解決しようとするもので、長方体の段ボールに取り付けられた送り状の位置を確認する事を簡易にする位置ラベル付送り状である。
【００１１】
以下、図面に基づいて、この発明の構成、使用方法について説明する。
【００１２】
図１は、本発明にかかる送り状の構成を示す。
本発明の位置ラベル付送り状１は、あて先記載した長方形状の住所部２と、長方形状の少なくとも一辺を延伸した位置目印ラベル４から構成される。それらの境界には、折り曲げする位置を示す折り曲げ線５をしるしてもよい。
【００１３】
図２は、本発明の使用図を示す。
図２に示すように使用例では、位置ラベル付送り状１を、住所部２を段ボール４の正面の左上角に貼り、折り曲げ線５を境に折り曲げて、位置目印ラベル３を段ボールの上部に来るように貼っている。
【００１４】
これにより、段ボール４の上方から見た場合、位置目印ラベル３が見つかるので、住所部２が貼られている面が即座にわかる。
住所部２と位置目印ラベル３の裏側には段ボールに貼れるようにのりしろを設ける。
【００１５】
図３〜５は、位置ラベル付送り状の型（全面型、対称型、隣接型）に応じて、本発明の位置目印ラベルの貼り方を示す。
【００１６】
全面型とは、住所部２の四つのすべて辺に、位置目印ラベル３をもつ状態の事を表す。
対称型とは、住所部２の対称の二つの辺に、位置目印ラベル３をもつ状態の事を表す。
隣接型とは、住所部２の隣接する二つの辺に、位置目印ラベル３をもつ状態の事を表す。
【００１７】
図３は、位置目印ラベル３ａ、３ｂ、３ｃ、３ｄを住所部２の全面に取り付けた全面型である。
(ａ)は、送り状の構成で、住所部２と、住所部２の四つの全ての辺に設けた位置目印ラベル３ａ、３ｂ、３ｃ、３ｄと、折り曲げ線５からなる。
(ｂ)では、(ａ)の 位置ラベル付送り状を、上面に位置目印ラベル３ａ、左側面に３ｂ、正面に位置目印ラベル３ｃ、３ｄと住所部２になるように貼っている。
上面と左側面に貼られたラベルで住所部２が貼られて面を特定できる。
(ｃ)では、上面、左側面、底面に位置目印ラベル３ａ、３ｂ、３ｃ、正面に位置目印ラベル３ｄ、住所部２を貼っている。
上面、左側面、底面に貼られて位置目印ラベルで住所部２が貼られている面を特定できる。
【００１８】
図４は、位置目印ラベル３ａ、３ｃを住所部２の対称に取り付けた対称型である。
(ａ)は、送り状の構成で、住所部２と、住所部２の対称の二つの辺に設けた位置目印ラベル３ａ、３ｃと、折り曲げ線５からなる。
(ｂ)では、(ａ)の位置ラベル付送り状を、上面に位置目印ラベル３ａ、正面に位置目印ラベル３ｃと住所部２になるように貼っている。
上面に貼られた位置目印ラベルで住所部２が貼られて面を特定できる。
(ｃ)では、上面、底面に位置目印ラベル３ａ、３ｃ、正面に住所部２を貼っている。
上面、底面に貼られて位置目印ラベルで住所部２が貼られている面を特定できる。
【００１９】
図５は、位置目印ラベル３ａ、３ｂを住所部２の隣接する二つの辺に取り付けた隣接型である。
(ａ)は、送り状の構成で、住所部２と、住所部２の隣接する辺に設けた位置目印ラベル３ａ、３ｂと折り曲げ線５からなる。
(ｂ)では、(ａ)の位置ラベル付送り状を、上面に位置目印ラベル３ａ、左面に３ｂ、正面に住所部２になるように貼っている。
上面と左側面に貼られた位置目印ラベルで住所部２が貼られている面を特定できる。 
(ｃ)では、上面、左側面に位置目印ラベル３ａ、３ｂ、正面に住所部２を貼っている。
上面、左側面に貼られて位置目印ラベルで住所部２が貼られている面を特定できる。
【産業上の利用可能性】
【００２０】
上述の発明は、仕分け作業の送り状の位置を確認する際、利用可能である。
【符号の説明】
【００２１】
１    位置ラベル付送り状
２    住所部
３    位置目印ラベル
３a  ラベル
３b  ラベル
３c  ラベル
３d  ラベル
４    段ボール
５    折り曲げ線
【図１】
2015148700.tif 000003
【図２】
2015148700.tif 000004
【図３】
2015148700.tif 000005
【図４】
2015148700.tif 000006
【図５】
2015148700.tif 000007